(57)【要約】【課題】選択対象の一覧性を保持したうえで、多くの選択対象を見易く表示する。情報表示装置に表示されたアイテム画像に関する情報をユーザが操作する携帯端末装置で表示する。また選択対象の追加、削除、変更等を容易に実行する。【解決手段】情報表示装置１００は、アイテム列情報記憶部１１０に記憶する列情報を取得し、取得した列情報ごとに読み出したアイテムＩＤに対応付けられたアイテム画像をアイテム情報記憶部１２０から取得し、取得したアイテム画像を所定の角度に１列に配置したアイテム画像列を移動方向に移動速度で移動させるとともに、移動方向に移動速度で移動するアイテム画像列を表示領域で切り取った表示画像を表示部に表示する。【選択図】図１
2020008625.tif 000002
【特許請求の範囲】
【請求項１】
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報を１または複数記憶するアイテム列情報記憶手段と、
前記アイテムＩＤと、前記アイテム画像とを対応付けて記憶するアイテム情報記憶手段と、
前記アイテム列情報記憶手段に記憶する前記列情報を取得し、取得した前記列情報ごとに読み出した前記アイテムＩＤに対応付けられた前記アイテム画像を前記アイテム情報記憶手段から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御手段と、
を備えることを特徴とする情報表示装置。
【請求項２】
前記アイテム列情報記憶手段は、前記アイテム列情報として、前記アイテム画像列の移動を停止する時間である停止時間と、前記アイテム画像列の表示領域における停止位置と、をさらに記憶し、
前記表示制御手段は、前記停止位置に前記アイテム画像が移動した場合に、前記停止時間の間、前記アイテム画像列の移動を停止すること、を特徴とする請求項１に記載の情報表示装置。
【請求項３】
前記アイテム情報記憶手段は、前記アイテムＩＤに対応付けて、ウェブページのアドレス情報を含む２次元コード画像を記憶し、
前記表示部に表示する前記アイテム画像の指示を受付けるアイテム受付手段、をさらに備え、
前記表示制御手段は、前記アイテム受付手段によって指示を受付けた前記アイテム画像に含まれる前記アイテムＩＤに対応付けられた前記２次元コード画像を前記アイテム情報記憶手段から取得し、取得した前記２次元コード画像を前記表示部に表示すること、を特徴とする請求項１または請求項２に記載の情報表示装置。
【請求項４】
前記情報表示装置に、前記表示部に表示する前記アイテム画像の実物または類似物を展示する展示スペース、をさらに備えることを特徴とする請求項１〜３のいずれか１つに記載の情報表示装置。
【請求項５】
前記移動方向または／および前記移動速度の変更を受付ける移動変更受付手段、をさらに備え、
前記表示制御手段は、前記移動変更受付手段によって受付けた前記移動方向または／および前記移動速度の変更に応じ、受付けた前記移動方向または／および前記移動速度で前記アイテム画像列を移動させながら表示すること、を特徴とする請求項１〜４のいずれか１つに記載に記載の情報表示装置。
【請求項６】
管理サーバと、前記管理サーバと前記ネットワークを介して接続する情報表示装置と、を備える情報管理システムにおいて、
前記管理サーバは、
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報、および、前記アイテムＩＤと、前記アイテムＩＤに対応付けた前記アイテム画像との入力を受付ける受付手段と、
前記受付手段によって受付けた前記アイテム列情報、および、前記アイテムＩＤと、前記アイテムＩＤに対応付けた前記アイテム画像とを前記情報表示装置に送信する送信手段と、を備え、
前記情報表示装置は、
前記管理サーバから受信した、前記アイテム列情報をアイテム列情報記憶部に格納し、前記アイテムＩＤと、前記アイテムＩＤに対応付けた前記アイテム画像と、をアイテム情報記憶部に格納する受信手段と、
前記アイテム列情報記憶部に記憶する前記列情報を取得し、取得した前記列情報それぞれから読み出した前記アイテムＩＤに対応付けられた前記アイテム画像を前記アイテム情報記憶部から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御手段と、
を備えることを特徴とする情報管理システム。
【請求項７】
前記管理サーバは、前記受付手段によって１または複数の前記アイテム画像に代えて、静止画または動画の入力を受付けること、を特徴とする請求項６に記載の情報管理システム。
【請求項８】
情報表示装置と携帯端末装置とを備える情報表示システムにおいて、
前記情報表示装置は、
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報を１または複数記憶するアイテム列情報記憶手段と、
前記アイテムＩＤと、前記アイテム画像と、２次元コード画像とを対応付けて記憶するアイテム情報記憶手段と、
前記アイテム列情報記憶手段に記憶する前記列情報を取得し、取得した前記列情報ごとに読み出した前記アイテムＩＤに対応付けられた前記アイテム画像を前記アイテム情報記憶手段から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御手段と、
前記アイテム画像の指示を受付ける受付手段と、を備え、
前記表示制御手段は、前記受付手段によって指示を受付けた前記アイテム画像に対応するアイテムＩＤに対応付けられた前記２次元コード画像を前記アイテム情報記憶手段から取得し、取得した前記２次元コード画像を前記表示部に表示し、
前記携帯端末装置は、
前記情報表示装置に表示した前記２次元コード画像を撮像する撮像手段と、
前記撮像手段によって撮像した前記２次元コード画像からウェブページのアドレス情報を取得し、取得した前記アドレス情報に対応するウェブページを表示する操作表示手段と、
を備えることを特徴とする情報表示システム。
【請求項９】
前記操作表示手段によって表示した前記ウェブページは、前記アイテム画像が示すアイテムを購入し決済するページであること、を特徴とする請求項８に記載の情報表示システム。
【請求項１０】
前記操作表示手段によって表示した前記ウェブページは、前記アイテム画像が示すアイテムに関する質問に応答するチャットボットページであること、を特徴とする請求項８に記載の情報表示システム。
【請求項１１】
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報を１または複数記憶するアイテム列情報記憶手段と、前記アイテムＩＤと、前記アイテム画像とを対応付けて記憶するアイテム情報記憶手段と、を備えるコンピュータによって実行される情報表示方法であって、
前記アイテム列情報記憶手段に記憶する前記列情報を取得し、取得した前記列情報ごとに読み出した前記アイテムＩＤに対応付けられた前記アイテム画像を前記アイテム情報記憶手段から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御ステップと、
を含むことを特徴とする情報表示方法。
【請求項１２】
管理サーバと、前記管理サーバとネットワークを介して接続する情報表示装置と、を備える情報管理システムによって実行される情報管理方法であって、
前記管理サーバは、
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報、および、前記アイテムＩＤと、前記アイテムＩＤに対応付けた前記アイテム画像との入力を受付ける受付ステップと、
前記受付ステップによって受付けた前記アイテム列情報、および、前記アイテムＩＤと、前記アイテムＩＤに対応付けた前記アイテム画像とを前記情報表示装置に送信する送信ステップと、を含み、
前記情報表示装置は、
前記管理サーバから受信した、前記アイテム列情報をアイテム列情報記憶部に格納し、前記アイテムＩＤと、前記アイテムＩＤに対応付けた前記アイテム画像とをアイテム情報記憶部に格納する受信ステップと、
前記アイテム列情報記憶部に記憶する前記列情報を取得し、取得した前記列情報それぞれから読み出した前記アイテムＩＤに対応付けられた前記アイテム画像を前記アイテム情報記憶部から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御ステップと、
を含むことを特徴とする情報管理方法。
【請求項１３】
アイテム画像を識別するアイテムＩＤを表示する順番に記述した列情報と、前記アイテム画像が移動する方向を示す移動方向と、前記アイテム画像が移動する速度を示す移動速度と、表示画面の水平方向からの傾きを示す角度と、を対応付けたアイテム列情報を１または複数記憶するアイテム列情報記憶手段と、前記アイテムＩＤと、前記アイテム画像と、２次元コード画像とを対応付けて記憶するアイテム情報記憶手段と、を備える情報表示装置と、携帯端末装置と、を備える情報表示システムによって実行される情報表示方法であって、
前記情報表示装置は、
前記アイテム列情報記憶手段に記憶する前記列情報を取得し、取得した前記列情報ごとに読み出した前記アイテムＩＤに対応付けられた前記アイテム画像を前記アイテム情報記憶手段から取得し、取得した前記アイテム画像を前記角度に１列に配置したアイテム画像列を前記移動方向に前記移動速度で移動させるとともに、前記移動方向に前記移動速度で移動する前記アイテム画像列を表示領域で切り取った表示画像を表示部に表示する表示制御ステップと、
前記アイテム画像の指示を受付ける受付ステップと、を含み、
前記表示制御ステップは、前記受付ステップによって指示を受付けた前記アイテム画像に対応するアイテムＩＤに対応付けられた前記２次元コード画像を前記アイテム情報記憶手段から取得し、取得した前記２次元コード画像を前記表示部に表示し、
前記携帯端末装置は、
前記情報表示装置に表示した前記２次元コード画像を撮像する撮像ステップと、
前記撮像ステップによって撮像した前記２次元コード画像から前記ウェブページのアドレス情報を取得し、取得した前記アドレス情報に対応するウェブページを表示する操作表示ステップと、
を含むことを特徴とする情報表示方法。
【請求項１４】
請求項１１〜１３のいずれか１項に記載の方法をコンピュータに実行させることを特徴とするプログラム。
【発明の詳細な説明】
【技術分野】
【０００１】
本発明は、情報表示装置、情報表示システム、情報管理システム、情報表示方法、情報管理方法およびプログラムに関する。
【背景技術】
【０００２】
近年、数多くのＥＣ（Electronic Commerce）サイトが公開され、多くのユーザが画面に表示されたさまざまな商品を購入している。既存のＥＣサイトでは、ユーザは階層化されたメニューを次々と指示することや商品名や商品の特徴を表す文言で検索することによって目的の商品を探し出すことが多い。
【０００３】
しかし、そのような一般的な方法で商品を選択する場合には、ユーザは商品についての明確なイメージを持って操作をしなければ商品を表示することができず、ユーザの漠然とした感性に合う商品を探し出すことがなかなかできなかった。また展示された商品をあれこれ見て回るという実店舗でのショッピングの楽しみをＥＣサイトで再現することが難しかった。そこで、かかる課題を解決するために、出願人は球状パノラマ画像にアイテム画像を配置した３次元画像を所定方向と所定速度で回転させながら表示する技術を開示した（特許文献１参照）。かかる技術によって、従来技術とは異なる、商品の一覧性が高い画面表示を実現することができた。
【０００４】
さらに、出願人は複数の円筒状の３次元画像にアイテム画像を配置し、アイテム画像を配置した円筒状の３次元画像を所定方向と所定速度で回転させながら表示する技術を開示した（特許文献２参照）。これによって、球体の大きさに限定されることなく、さらに多くのアイテム画像を表示することができるようになった。
【先行技術文献】
【特許文献】
【０００５】
【特許文献１】特許第6094918号公報
【特許文献２】特許第6320610号公報
【発明の概要】
【発明が解決しようとする課題】
【０００６】
しかしながら、上述する特許文献１に記載した技術で解決した課題に加え、アイテム画像を制限なく、商品の一覧性の高い画面表示を実現するとともに、上述する特許文献２に記載した技術での、円筒状の３次元画像である背景にアイテム画像を配置するため、アイテム画像を追加したり削除したり、またアイテム画像の配置位置を入れ替えるには３次元画像にアイテム画像を追加、削除、配置位置の変更等の作業を１つ１つ行う必要があり、作業に時間がかかり操作も煩雑であるという問題を解決する必要があった。
【０００７】
また近年、駅や空港等のコンコースや地上・地下通路等に数多く設置されている電子看板（デジタルサイネージ）等でユーザが興味を引く広告等を表示する要望や、さらに興味を持った提示内容について詳細情報等をユーザ各自で確認したり、商品を購入したいという要望があった。
【０００８】
本発明は、上記に鑑みてなされたものであり、表示対象の一覧性を保持したうえで、多くの表示対象を見易く表示することができる情報表示装置、情報表示方法およびプログラムを提供することを目的とする。また表示対象の追加、削除、変更等を容易に実行することできる情報管理システム、情報管理方法およびプログラムを提供することを目的とする。さらに多くの表示対象の一覧性を確保した上で、情報表示装置に表示された提示対象に関する情報をユーザが操作する携帯端末装置で表示することができる情報表示システム、情報表示方法およびプログラムを提供することを目的とする。
【課題を解決するための手段】
【０００９】
上述した課題を解決するために、本発明では、アイテム列情報記憶手段に記憶する列情報を取得し、取得した列情報ごとに読み出したアイテムＩＤに対応付けられたアイテム画像をアイテム情報記憶手段から取得し、取得したアイテム画像を所定の角度に１列に配置したアイテム画像列を移動方向に移動速度で移動させるとともに、移動方向に移動速度で移動するアイテム画像列を表示領域で切り取った表示画像を表示部に表示することを特徴とする。
【００１０】
また本発明では、管理サーバにおいて、アイテム画像を識別するアイテムＩＤを表示する順番に記述した列情報と、アイテム画像が移動する方向を示す移動方向と、アイテム画像が移動する速度を示す移動速度と、表示画面の水平方向からの傾きを示す角度と、を対応付けたアイテム列情報、および、アイテムＩＤと、アイテムＩＤに対応付けたアイテム画像との入力を受付け、受付けたアイテム列情報、および、アイテムＩＤと、アイテムＩＤに対応付けたアイテム画像とを情報表示装置に送信することを特徴とする。
【００１１】
また本発明では、情報表示装置において、アイテム画像の指示を受付け、指示を受付けたアイテム画像に含むアイテムＩＤに対応付けられた２次元コード画像をアイテム情報記憶手段から取得し、取得した２次元コード画像を表示部に表示し、携帯端末装置において、情報表示装置に表示した２次元コード画像を撮像し、撮像した２次元コード画像からウェブページのアドレス情報を取得し、取得したアドレス情報に対応するウェブページを表示することを特徴とする。
【発明の効果】
【００１２】
上述したように、本発明は、アイテム画像を所定の角度に１列に配置したアイテム画像列を移動方向に移動速度で移動させ、表示領域で切り取った表示画像を表示部に表示することにより、アイテム画像の数をほぼ制限なく、次々に表示させることができるため、表示対象の一覧性を保持したうえで、多くの表示対象を見易く表示することができるという効果を奏する。
【００１３】
また本発明は、管理サーバでアイテムＩＤを表示する順番に記述した列情報と移動方向と移動速度と角度とを対応付けたアイテム列情報、およびアイテムＩＤとアイテムＩＤに対応付けたアイテム画像との入力を受付け、受付けたアイテム列情報、およびアイテムＩＤとアイテムＩＤに対応付けたアイテム画像とを情報表示装置に送信することにより、アイテム画像を表示する順番である列情報とアイテム画像を分離して管理することができるため、表示対象の追加、削除、変更等を容易に実行することができるという効果を奏する。
【００１４】
また本発明は、情報表示装置が指示を受付けたアイテム画像に対応付けられた２次元コード画像を表示部に表示し、携帯端末装置が情報表示装置に表示した２次元コード画像を撮像し、撮像した２次元コード画像から取得したアドレス情報に対応するウェブページを表示することにより、２次元コード画像を介してウェブページを表示することができるため、多くの表示対象の一覧性を確保した上で、情報表示装置に表示されたアイテムに関する情報をユーザが操作する携帯端末装置で表示することができるという効果を奏する。
【図面の簡単な説明】
【００１５】
【図１】本実施例にかかる情報表示／情報管理システム１０の構成を示すブロック図である。
【図２】アイテム列情報記憶部１１０のデータ構成の一例を示す説明図である。
【図３】アイテム情報記憶部１２０のデータ構成の一例を示す説明図である。
【図４】画面表示イメージの一例を示す説明図である。
【図５】アイテム画像を表示する角度が異なる画面表示イメージの一例を示す説明図である。
【図６】情報表示装置１００が実行する情報表示処理手順を示すフローチャートである。
【図７】携帯端末装置３００が実行する情報表示処理手順を示すフローチャートである。
【図８】管理サーバ２００で実行する情報管理処理手順を示すフローチャートである。
【発明を実施するための形態】
【００１６】
以下、添付図面を参照し本発明の実施例を説明する。なお以下の説明は、実施の形態の一例であり、本発明はこれらの実施例に限定されるものではない。
【実施例１】
【００１７】
図１は、本実施例にかかる情報表示／情報管理システム１０の構成を示すブロック図である。図１に示すように、情報表示／情報管理システム１０は、情報表示装置１００と、管理サーバ２００と、携帯端末装置３００と、ウェブサーバ４００とを備える。情報表示装置１００と、管理サーバ２００、ウェブサーバ４００は、ネットワークＮを介して互いに通信可能に接続する。また携帯端末装置３００は、所定の無線規格（例えば、３Ｇ（第３世代移動通信システム）、４Ｇ（第４世代移動通信システム）あるいは５Ｇ（第５世代移動通信システム）等の各種携帯電話の通信規格等）によって所定の基地局を介しネットワークＮに接続する。ネットワークＮは、一部または全部が有線あるいは無線であり、インターネット、イントラネット、ＬＡＮ（Local Area Network）、移動体通信網等の通信ネットワークである。
【００１８】
情報表示装置１００は、アイテム画像を表示画面に対して横、縦、斜めの１列に配置したアイテム画像列を所定の移動方向に所定の移動速度で移動させながら表示するとともに、表示したアイテム画像に対する操作を受付け、操作に応じた処理を実行する情報処理装置である。情報表示装置１００は、一例として大型のタッチパネルを備えるコンピュータ、店舗等のガラス窓等に画像を投影するプロジェクタと投影画像に対する指示を感知するタッチセンサとを備えるコンピュータ、タブレット端末等の情報処理装置である。
【００１９】
管理サーバ２００は、情報表示装置１００で表示するアイテム画像列に関する情報を生成、編集するとともに、生成したアイテム画像列に関する情報を情報表示装置１００にネットワークＮを介して配信するサーバである。
【００２０】
携帯端末装置３００は、ユーザの操作するスマートフォン端末、携帯電話端末、タブレット端末、ウェラブルコンピュータ、パーソナルコンピュータ（以下、ＰＣという）等である。携帯端末装置３００は、情報表示装置１００の操作表示部１０３に表示された２次元コード画像を撮像し、撮像した２次元コード画像からウェブページのアドレス情報、すなわちＵＲＬ（Uniform Resource Locator）を取得し、取得したＵＲＬのウェブページを表示する。
【００２１】
ウェブサーバ４００は、携帯端末装置３００が撮像した２次元コード画像から取得したＵＲＬが示すウェブページ等を格納するサーバである。ウェブサーバ４００は、携帯端末装置３００等から送信されたＨＴＴＰ（HyperText Transfer Protocol）等によるリクエストを受信し、リクエストに対するレスポンスを送信する。ウェブサーバ４００は、一例としてユーザの指示に応じアイテム購入の決済処理を実行し、必要に応じアイテムの発送指示等を実行するＥＣサーバである。
【００２２】
次に情報表示装置１００の機能、構成について説明する。情報表示装置１００は、アイテム列情報記憶部１１０と、アイテム情報記憶部１２０と、送受信部１０１と、操作表示制御部１０２と、操作表示部１０３とを備える。
【００２３】
図２は、アイテム列情報記憶部１１０のデータ構成の一例を示す説明図である。アイテム列情報記憶部１１０は、列番号と、列情報と、移動方向と、移動速度と、表示画面の水平方向からの角度と、停止時間と、停止位置と、その他の情報とを対応付けたアイテム列情報を記憶する。
【００２４】
ここで、列番号は、アイテム画像を１列に並べて表示するアイテム画像列のそれぞれを識別する情報であり、表示画面では列番号の降順または昇順にアイテム画像列を並べて表示する。
【００２５】
列情報とは、アイテム画像を１列に並べて表示する際のアイテム画像を識別するアイテム識別情報（以下、アイテムＩＤという）を表示する順番に記述するものである。例えば、列情報として、１０のアイテムＩＤが記述された場合、１番目から１０番目のアイテム画像が表示された後は、さらに１番目のアイテムＩＤに戻って読込まれることによって、１番目のアイテム画像、２番目のアイテム画像、・・・と連続して表示される。
【００２６】
アイテムＩＤは、アイテム画像を識別する情報であれば、どのような情報であってもよく、アイテム画像を一意に識別できれば、例えばアイテム画像の名称やアイテム画像の所在地であるＵＲＬ等であってもよい。
【００２７】
移動方向は、アイテム画像が移動する方向であり、移動速度は、アイテム画像が移動する速度であり、角度は、表示画面の水平方向からアイテム画像列を傾ける角度を示す。例えば、アイテム画像列を水平方向に移動させる場合は、角度は“０”度で、移動方向は、例えば“左→右”または“左←右”、移動速度は、例えば“３秒/１画像”等をアイテム列情報記憶部１１０に記憶する。またアイテム画像列を垂直方向に移動させる場合は、角度は“９０”度で、移動方向は、例えば“上→下”または“上←下”等を記憶する。アイテム画像列を斜め方向に移動させる場合は、例えば角度は“４５”度や“６０”度、“１１０”度、“−３０”度等で、移動方向は、例えば“斜め上→斜め下”または“斜め上←斜め下”等を記憶する。なお角度はアイテム画像列ごとではなく、表示画像全体として１つのデータを持っていてもよい。
【００２８】
さらにアイテム列情報記憶部１１０に停止時間（例えば“３”秒）と停止位置（例えば“中央部”や“中央左”）を記憶することによって、アイテム画像が表示画面の停止位置に移動した際に、停止時間の間、アイテム画像列の移動を停止する。停止時間は、アイテム画像列の移動を停止する時間であり、停止位置は、アイテム画像列の表示領域におけるアイテム画像が停止する位置である。例えば停止位置が“中央部”であり、横スライドしているアイテム画像列が上方向を表示するようにスクロールを指示した場合は、当該アイテム画像列は、上方向にスクロールしながらアイテム画像が中央部の位置に移動した時に次々と停止時間だけ停止する。このように、アイテム画像が停止位置に停止時間の間停止することによって、停止したアイテム画像はユーザの注目を集めることができる。またアイテム画像列ごとにカテゴリーの異なるアイテム画像を表示させ、中央部で停止することによって、異なるカテゴリーの組合せを表示し、利用者に組合せの提案を自動的に行うことができる。なお停止位置は、アイテム画像列ごとに異なる位置としてもよい。
【００２９】
図３は、アイテム情報記憶部１２０のデータ構成の一例を示す説明図である。アイテム情報記憶部１２０は、アイテムＩＤと、アイテム画像と、２次元コード画像と、アイテム詳細情報と、その他の情報と、を対応付けたアイテム情報を記憶する。
【００３０】
ここで、アイテム画像は、アイテムを撮像した画像データまたはイラストや図形、記号等で表した画像データである。アイテム画像にアイテムＩＤを対応付けておくこと（例えばアイテム画像にアイテムＩＤを含ませること）によって、画面上に表示されたアイテム画像をユーザが指示した場合にアイテムＩＤを取得することができる。なおアイテム画像列ごとのアイテム画像の大きさは、アイテム画像それぞれがすべて同一（アイテム画像それぞれについて移動方向の長さと移動方向から垂直方向の長さが同一）であっても、アイテム画像の移動方向の長さが所定の長さに対し、アイテム画像ごとに１倍、２倍、３倍等の長さであっても、または移動方向の長さがアイテム画像ごとに任意の長さであってもよい。なおアイテム画像は、実際の画像データのほか、アイテム画像が格納されている場所を示すＵＲＬでもよい。
【００３１】
アイテムとは、例えば販売対象である商品や展示対象である物品等であり、その他画面上でその存在を示すことができる視覚や聴覚等で認識できるものであれば、どのようなものであってもよい。
【００３２】
２次元コード画像は、例えばＱＲコード（登録商標）やその他の２次元コード画像であり、２次元コード画像にはアイテムに関する情報を提示するためのウェブページのＵＲＬを含む。アイテム詳細情報は、アイテムを説明する情報等を記憶する。より具体的にはアイテムの名称、価格、説明文等である。例えばアイテムが販売目的の商品であれば、価格等の販売に必要な情報を記憶する。また説明文等の文字を含む情報は、日本語のほか、英語、中国語、韓国語等の言語に応じた複数の文字情報を記憶してもよい。また２次元コード画像に代えて、情報表示装置１００にインラインフレーム（別ウィンドウでの表示）で表示画面にアイテムを購入または提示するウェブページを表示するため、ウェブサーバ４００に格納されたウェブページのＵＲＬを記憶してもよい。
【００３３】
送受信部１０１は、アイテム列情報記憶部１１０に記憶するアイテム列情報およびアイテム情報記憶部１２０に記憶するアイテム情報を管理サーバ２００から受信する。なおこれらの情報をネットワークＮを介して受信することに代えて、ＵＳＢ（Universal Serial Bus）ポートを介してＵＳＢメモリ等に記憶するアイテム列情報およびアイテム情報を読込み、アイテム列情報記憶部１１０およびアイテム情報記憶部１２０に格納してもよい。
【００３４】
操作表示制御部１０２は、アイテム列情報記憶部１１０に記憶するアイテム列情報を読込み、読込んだアイテム列情報に含まれる列情報のアイテムＩＤに対応するアイテム画像をアイテム情報記憶部１２０から取得し、取得したアイテム画像を表示順に（列情報に記述した順に）移動方向に移動速度で移動させながら操作表示部１０３に表示する。より具体的には、操作表示制御部１０２は、アイテム列情報記憶部１１０に記憶するすべてのアイテム画像列がそれぞれの移動方向と移動速度で移動する画像から表示領域で切り取られた表示画像を操作表示部１０３に表示する。なお列情報に記述されたアイテムＩＤに対応付けられたアイテム画像を繰り返し読込むことによって、各列のアイテム画像は途切れることなく繰り返し表示される。
【００３５】
図４は、画面表示イメージの一例を示す説明図である。表示画面４１には、アイテム画像４２が表示順に連なったアイテム画像列４３を表示領域で切り取った表示画像を表示する。図４に示すように、アイテム画像列４３はアイテム列情報記憶部１１０の列情報に記憶された順に（または所定の表示ルールに従って）複数の列として表示される。矢印４４は、アイテム画像列４３の移動方向と移動速度を模式的に示したものである。表示画面４５は、表示画面を上方にスクロールした場合を示し、表示画面４６は、表示画面を下方にスクロールした場合を示す。上方または下方にスクロールすることによって、ほぼ制限なくアイテム画像列４３を表示することができる。なお図４では、表示画面４１にアイテム画像列４３が画面内にはみ出ることなく納まって表示されているが、あえてアイテム画像の一部が見切れるように表示しスクロールが可能であることを視覚的に明らかにしてもよい。またアイテム画像列情報記憶部１１０に停止時間を設定している場合には、アイテム画像が表示画面４１の停止位置に移動した際に、停止時間の間移動を停止する。
【００３６】
図５は、アイテム画像を表示する角度が異なる画面表示イメージの一例を示す説明図である。角度が“０”度の横スライド、角度が“９０”度の縦スライド、角度が“３０”度の斜めスライドの例を示す。横スライド（中央で一時停止）の例では、移動方向が“左→右”、“左←右”の交互であり、かつ、移動速度が各列で一定であるので、各アイテム画像が同時に中央部で一時停止する。このように、各アイテム画像を同時に中央部で一時停止することによって、図示するようなアイテムの組合せを表示することができ、利用者に具体的なアイテムの活用例を操作することなく提示することができる。
【００３７】
縦スライドや斜めスライドの場合も、アイテム列情報記憶部１１０に停止時間を設定している場合には、アイテム画像が表示画面の中央部（または停止位置）に移動した際に停止時間の間移動を停止する。
【００３８】
操作表示部１０３は、入力部と表示部とからなり、情報表示装置１００がタブレット端末等の場合、液晶ディスプレイとタッチセンサを重畳して構成するタッチパネルである。タッチパネルの液晶ディスプレイは、図４、図５に示すような表示画像を表示画面の全面に表示する。その他メニュー、アイコン、図形、文字等の各種の情報を表示画面に表示しても、または所定の操作をしたときに表示してもよい。タッチセンサは、表示画面に対する操作指示や文字入力等の入力操作を検出する。操作表示部１０３は、通常のタッチパネルのほか、ガラス窓や壁等に画像を投影するプロジェクタと赤外線イメージセンサを利用し三角測量により位置を検出するタッチセンサ、ヘッドマウントディスプレイ、データグローブ、モーションセンサ、ディスプレイとマウス、キーボード等のさまざまな入力装置および出力装置であってもよい。
【００３９】
次に管理サーバ２００の機能、構成について説明する。管理サーバ２００は、送受信部２０１と、操作表示制御部２０２と、操作表示部２０３と、アイテム列情報記憶部２１０と、アイテム情報記憶部２２０とを備える。
【００４０】
送受信部２０１は、情報表示装置１００のアイテム列情報記憶部１１０に記憶するアイテム列情報および情報表示装置１００のアイテム情報記憶部２２０に記憶するアイテム情報を情報表示装置１００に送信する。
【００４１】
操作表示部２０３は、入出力装置であり、具体的にはディスプレイ、キーボード、マウス、スキャナ等である。
【００４２】
操作表示制御部２０２は、操作表示部２０３を制御する。より具体的には、操作表示制御部２０２は、キーボード、マウス、スキャナ等の操作表示部２０３から入力されたアイテム画像列情報やアイテム情報、アイテム画像等を受付け、受付けた各種の情報をディスプレイ等の操作表示部２０３に出力するとともに、アイテム画像列情報記憶部２１０およびアイテム情報記憶部２２０に格納する。
【００４３】
アイテム画像列情報記憶部２１０は、上述したアイテム画像列情報記憶部１１０と同様のデータ構成であり、操作表示部２０３によって入力された各種の情報を記憶する。アイテム情報記憶部２２０は、上述したアイテム情報記憶部１２０と同様のデータ構成であり、操作表示部２０３によって入力された各種の情報を記憶する。
【００４４】
携帯端末装置３００の機能、構成について説明する。携帯端末装置３００は、送受信部３０１と、操作表示制御部３０２と、操作表示部３０３と、撮像部３０４とを備える。
【００４５】
送受信部３０１は、撮像部３０４によって情報表示装置１００の操作表示部１０３に表示された２次元コード画像を撮像し、撮像した２次元コード画像から取得したＵＲＬをウェブサーバ４００に送信し、ＵＲＬに対応するウェブページをウェブサーバ４００から受信する。
【００４６】
操作表示制御部３０２は、ウェブサーバ４００から受信したウェブページを操作表示部３０３に表示する。操作表示制御部３０２は、操作表示部３０３に表示した表示画像に対する操作指示を受付ける。
【００４７】
操作表示部３０３は、入力部と表示部とからなり、携帯端末装置３００がスマートフォン端末やタブレット端末等の場合は、液晶ディスプレイとタッチセンサを重畳して構成するタッチパネルである。タッチパネルの液晶ディスプレイは、メニュー、アイコン、図形、文字等の各種の情報を表示画面に表示するとともに、タッチセンサは、表示画面に対する操作指示や文字入力等の入力操作を検出する。
【００４８】
撮像部３０４は、カメラを備え、情報表示装置１００の操作表示部１０３に表示する２次元コード画像を撮像し、撮像した２次元コード画像からＵＲＬ等の情報を取得する。
【００４９】
上述のように構成された情報表示／情報管理システム１０の情報表示装置１００で実行する情報表示処理について説明する。図６は、情報表示装置１００が実行する情報表示処理手順を示すフローチャートである。
【００５０】
操作表示制御部１０２は、各列のアイテムＩＤと移動方向、移動速度、角度、停止時間、停止位置をアイテム列情報記憶部１１０から取得する（ステップＳ６０１）。なお角度は、列ごとではなく、表示画像に対し１つのみ定められていてもよい。操作表示制御部１０２は、アイテムＩＤに対応付けられたアイテム画像をアイテム情報記憶部１２０から取得する（ステップＳ６０２）。操作表示制御部１０２は、各列のアイテム画像を各列の移動方向、移動速度、角度、停止時間、停止位置に基づき移動させながら操作表示部１０３に表示する（ステップＳ６０３）。
【００５１】
操作表示制御部１０２は、移動方向または移動速度の変更、スクロールの入力を受付けたか否かを判断する（ステップＳ６０４）。移動方向または移動速度の変更を受付けたと判断した場合は（ステップＳ６０４：Ｙｅｓ）、操作表示制御部１０２は、アイテム画像列の移動方向または移動速度を変更し表示する（ステップＳ６０５）。なお一定時間が経過したときは、アイテム列情報記憶部１１０に記憶する移動方向や移動速度に徐々に戻すようにしてもよい。スクロールの入力を受付けたと判断した場合は（ステップＳ６０４：Ｙｅｓ）、操作表示制御部１０２は、表示画像を入力したスクロールに応じ表示する（ステップＳ６０５）。移動方向または移動速度の変更、スクロールを受付けていないと判断した場合は（ステップＳ６０４：Ｎｏ）、ステップＳ６０６に進む。
【００５２】
操作表示制御部１０２は、アイテム画像の指示を受付けたか否かを判断する（ステップＳ６０６）。アイテム画像の指示を受付けたと判断した場合は（ステップＳ６０６：Ｙｅｓ）、操作表示制御部１０２は、２次元コード画像をアイテム情報記憶部１２０から取得する（ステップＳ６０７）。より具体的には、操作表示制御部１０２は、指示されたアイテム画像に対応付けられたアイテムＩＤを取得し、取得したアイテムＩＤに対応付けられた２次元コード画像をアイテム情報記憶部１２０から取得する。
【００５３】
操作表示制御部１０２は、２次元コード画像を操作表示部１０３に表示する（ステップＳ６０８）。なお２次元コード画像のみを表示するのではなく、２次元コード画像に加えアイテム情報記憶部１２０に記憶するアイテム名や説明文等を表示してもよい。またアイテム情報記憶部１２０は、２次元コード画像に代えて、ウェブページのＵＲＬを記憶する場合は、２次元コード画像に代えてアドレス情報に対応するウェブページをインラインフレームで表示してもよい。
【００５４】
アイテム画像の指示を受付けていないと判断した場合は（ステップＳ６０６：Ｎｏ）、ステップＳ６０９に進む。操作表示制御部１０２は、表示を終了するか否かを判断する（ステップＳ６０９）。表示を終了しないと判断する（ステップＳ６０９：Ｎｏ）、ステップＳ６０３に戻り、各列のアイテム画像をそれぞれの移動方向、移動速度、角度、停止時間で移動させた表示画像を表示する。表示を終了すると判断する（ステップＳ６０９：Ｙｅｓ）、例えば電源がＯＦＦされた場合や表示時間が経過した場合に表示を終了する（ステップＳ６１０）。
【００５５】
またアイテム列情報記憶部１１０に音声データを列番号に対応付けて記憶し、特定の列に対し移動方向や移動速度の変更を受付ける等の指示を受付けた場合に、指示を受け付けた列番号に対応付けられた音声データを出力、または移動速度に合わせて出力してもよい。
【００５６】
上述した情報表示装置１００がネットワークＮに接続されている場合は、情報表示装置１００からの要求、または管理サーバ２００からの指示によって、アイテム列情報記憶部１１０およびアイテム情報記憶部１２０に記憶する各種の情報を更新することができる。これにより、季節や時間帯、時刻等に応じたアイテム情報を提供することができる。緊急時には、アイテム情報の一部を地震や豪雨等の災害情報や交通情報に代えて表示することもできる。
【００５７】
また情報表示装置１００は、アイテム列情報記憶部１１０およびアイテム情報記憶部１２０にデータが格納されていればネットワークに接続されていない場合でも動作できるため、電波の届きにくい環境でも使用することができる。
【００５８】
上述のように構成された情報表示／情報管理システム１０が備える携帯端末装置３００で実行する情報表示処理について説明する。図７は、携帯端末装置３００が実行する情報表示手順を示すフローチャートである。
【００５９】
撮像部３０４は、ユーザの指示に応じ情報表示装置１００の表示画面に表示された２次元コード画像を撮像する（ステップＳ７０１）。撮像部３０４は、撮像した２次元コード画像からＵＲＬを取得する（ステップＳ７０２）。送受信部３０１は、ＵＲＬの示すウェブページをウェブサーバ４００にリクエストする（ステップＳ７０３）。送受信部３０１は、ウェブページをウェブサーバ４００から受信する（ステップＳ７０４）。操作表示制御部３０２は、ウェブページを操作表示部３０３に表示する（ステップＳ７０５）。なお操作表示部３０３に表示するウェブページは、アイテムを購入し決済することができるＥＣページ、店舗や施設への経路、割引クーポンを表示するページ、ユーザが指示したアイテムに関する質問に応答するチャットボットページ等であり、さらにそれらの組合せたウェブページであってもよい。
【００６０】
このように、情報表示装置１００では、アイテム画像列ごとに所定の移動方向、所定の移動速度で移動させながらアイテム画像を途切れることなく連続して表示することができるため、従来のＥＣサイトのような階層化されたメニューを指示した表示や検索結果の表示と異なり、ユーザは何ら操作をしなくても多くのアイテム画像を目にすることができる。特に大画面にアイテム画像を表示する場合は、ユーザの操作するスマートフォン等の小さな画面で表示する場合と異なり、アイテムを精細に表示することができるため、ユーザはアイテムの詳細を確認することができる。
【００６１】
さらにユーザは表示画面上のアイテム画像の指示によって表示された２次元コード画像を撮像することで、ユーザの所持する携帯端末装置３００でアイテムに関連するウェブページを表示することができる。これにより、ユーザは表示画面に表示されたアイテム画像のなかから興味を持ったアイテムに関する情報を容易に手に入れることができるとともに、アイテムに関連する店舗や施設への誘導等も容易になる。
【００６２】
ユーザの携帯端末装置３００に表示するウェブページがＥＣページである場合、情報表示装置１００で表示されているアイテムを容易に購入し決済することができる。この場合、アイテム購入の決済処理は、ユーザの携帯端末装置３００で実行するため、セキュリティ面でも安心してアイテムを購入できる。このように、情報表示装置１００は、電子看板（デジタルサイネージ）として広告、宣伝等を表示するだけでなく、店舗や施設等への誘導やアイテム購入等のユーザの次の行動を促すことができる。
【００６３】
ユーザの携帯端末装置３００に表示するウェブページがチャットボットページである場合、ユーザ自身がアイテム等に対し抱いた疑問や質問に的確に回答することができ、アイテムに対する理解を深め、興味を持ってもらうことができる。さらには、購入してもらうことができる。
【００６４】
他の実施例として、情報表示装置１００にアイテムの実物または色違い等の類似物を展示する展示スペースを加えてもよい。アイテム画像を操作表示部１０３に表示するだけでなく、表示画面に表示したアイテムの実物または類似物を装置の一部である展示スペースに展示することによって、例えば肌触り等の品質や実際の発色等を確かめることができ、アイテム購入の動機付けとなる。またアイテムの実物を確かめたうえで、操作表示部１０３に表示する多くの色違いやデザイン違いアイテムのなかから自分の好みのアイテムを選択することができる。また店舗の閉店後や無人店舗において、販売員を居なくても、アイテムに関する情報の提供やアイテムを販売することができる。
【００６５】
次に上述のように構成された情報表示／情報管理システム１０が備える管理サーバ２００で実行する情報管理処理について説明する。図８は、管理サーバ２００で実行する情報管理処理手順を示すフローチャートである。
【００６６】
操作表示制御部２０２は、アイテム列情報をアイテム列情報記憶部２１０から、およびアイテム情報をアイテム情報記憶部２２０から読込み、読込んだアイテム列情報およびアイテム情報を管理画面に表示する（ステップＳ８０１）。なお新規にアイテム列情報およびアイテム情報を入力する場合は、情報の入力されていない管理画面のみを表示する。
【００６７】
操作表示制御部２０２は、操作表示部２０３に表示された管理画面から全体に関する情報の指示を受付ける（ステップＳ８０２）。例えば、角度が表示画面全体として１つの値を採る場合は、ここで入力する。操作表示制御部２０２は、管理画面から列番号の指示を受付ける（ステップＳ８０３）。操作表示制御部２０２は、管理画面から列全体に関する情報の入力を受付ける（ステップＳ８０４）。例えば、列番号ごとの移動方向、移動速度（、角度）、停止時間、停止位置等の入力を受付ける。
【００６８】
操作表示制御部２０２は、アイテムの新規追加を受付けたか否かを判断する（ステップＳ８０５）。例えば管理画面に表示された新規追加ボタンの指示を受付けたか否かによって判断する。アイテムの新規追加を受付けたと判断した場合（ステップＳ８０５：Ｙｅｓ）、操作表示制御部２０２は、アイテム画像を追加する位置（以下、追加位置という）、アイテム画像、アイテムに関する情報の入力を受付ける（ステップＳ８０６）。追加位置とは、アイテム画像列のなかでどの位置に新たなアイテム画像を追加するかを示すものであり、アイテム画像列の先頭や最後、先頭から３番目等を管理画面の指示によって入力する。アイテムを新規追加した場合は、アイテムＩＤが付与される。アイテムＩＤに対応付けてアイテム画像の入力（クライアント端末から入力する場合はアップロード）や、２次元コード、アイテム詳細情報等を入力する。アイテムの新規追加を受付けていないと判断した場合（ステップＳ８０５：Ｎｏ）、ステップＳ８０７に進む。
【００６９】
操作表示制御部２０２は、アイテムの編集を受付けたか否かを判断する（ステップＳ８０７）。管理画面に表示されたアイテムを指示したか否かによって判断する。アイテムの編集を受付けたと判断した場合（ステップＳ８０７：Ｙｅｓ）、操作表示制御部２０２は、アイテム画像、アイテムに関する情報の入力を受付ける（ステップＳ８０８）。例えば。アイテム画像の入替えやアイテムに関する情報の追加、変更、削除等である。アイテムの編集を受付けないと判断した場合（ステップＳ８０７：Ｎｏ）、ステップＳ８０９に進む。
【００７０】
操作表示制御部２０２は、アイテムに関する入力が終了したか否かを判断する（ステップＳ８０９）。アイテムに関する入力が終了しないと判断した場合（ステップＳ８０９：Ｎｏ）、ステップＳ８０５に進み、アイテムの新規追加や編集の入力を受付ける。アイテムに関する入力が終了したと判断した場合（ステップＳ８０９：Ｙｅｓ）、入力が終了したか否かを判断する（ステップＳ８１０）。入力が終了していないと判断した場合（ステップＳ８１０：Ｎｏ）、ステップＳ８０２に進み、全体に関する情報や他の列での情報の更新等を実行する。
【００７１】
入力が終了したと判断した場合（ステップＳ８１０：Ｙｅｓ）、新規追加または編集した、全体や各列に関する情報、アイテムに関する情報、アイテム画像をアイテム列情報記憶部２１０およびアイテム情報記憶部２２０に格納する（ステップＳ８１１）。なおアイテム列情報記憶部２１０に格納するデータは、上述したデータ構成で記載するほか、ＨＴＭＬ（HyperText Markup Language等のマークアップ言語やＰＨＰ（Hypertext Preprocessor）等のスクリプト言語の一部として記載してもよく、その場合は、情報表示装置１００の備えるアイテム列情報記憶部１１０も同様のファイルとして構成される。
【００７２】
他の実施例として、１つまたは複数のアイテム画像列に表示するアイテム画像のうちの１または複数を静止画または動画に代えてまたは静止画または動画を加えて格納してもよい。なお静止画または動画は、表示画面全体の上部等のスクロールしても変更しない予め定めた位置に固定して表示してもよい。これにより、ユーザはアイテム画像だけではなく印象的な広告等を見ることができるとともに、さらに広告等で紹介されているアイテムをその場で購入することや店舗や施設等の情報をその場で得ることができる。
【００７３】
上述した実施例にかかる情報表示装置１００、管理サーバ２００、携帯端末装置３００ウェブサーバ４００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００７４】
情報表示装置１００、管理サーバ２００、携帯端末装置３００、ウェブサーバ４００で動作するプログラムは、インターネット等のネットワークＮに接続されたコンピュータ上に格納しておき、ネットワークＮ経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。
【００７５】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００７６】
Ｎ…ネットワーク、１０…情報表示／情報管理システム、１００…情報表示装置、１０１…送受信部、１０２…操作表示制御部、１０３…操作表示部、１１０…アイテム列情報記憶部、１２０…アイテム情報記憶部、２００…管理サーバ、２０１…送受信部、２０２…操作表示制御部、２０３…操作表示部、２１０…アイテム列情報記憶部、２２０…アイテム情報記憶部、３００…携帯端末装置、３０１…送受信部、３０２…操作表示制御部、３０３…操作表示部、３０４…撮像部４００…ウェブサーバ
【図１】
2020008625.tif 000003
【図２】
2020008625.tif 000004
【図３】
2020008625.tif 000005
【図４】
2020008625.tif 000006
【図５】
2020008625.tif 000007
【図６】
2020008625.tif 000008
【図７】
2020008625.tif 000009
【図８】
2020008625.tif 000010
【手続補正書】
【提出日】平成30年12月10日(2018.12.10)
【手続補正１】
【補正対象書類名】明細書
【補正対象項目名】００２８
【補正方法】変更
【補正の内容】
【００２８】
さらにアイテム列情報記憶部１１０に停止時間（例えば“３”秒）と停止位置（例えば“中央部”や“中央左”）を記憶することによって、アイテム画像が表示画面の停止位置に移動した際に、停止時間の間、アイテム画像列の移動を停止する。停止時間は、アイテム画像列の移動を停止する時間であり、停止位置は、アイテム画像列の表示領域におけるアイテム画像が停止する位置である。例えば停止位置が“中央部”であり、横スライドしているアイテム画像列が上方向を表示するようにスクロールを指示した場合は、当該アイテム画像列は、上方向にスクロールしながらアイテム画像が中央部の位置に移動した時に次々と停止時間だけ停止する。このように、アイテム画像列が停止位置に停止時間の間停止することによって、停止したアイテム画像はユーザの注目を集めることができる。またアイテム画像列ごとにカテゴリーの異なるアイテム画像を表示させ、中央部で停止することによって、異なるカテゴリーの組合せを表示し、利用者に組合せの提案を自動的に行うことができる。なお停止位置は、アイテム画像列ごとに異なる位置としてもよい。